(57)【特許請求の範囲】
【請求項１】
摺動可能に設置される筐体を有する撮影機器であって、
該筐体と該撮影機器とが摺接する摺接面に塗装が施されている場合に、該摺接面のうち、一方の摺接面に摺動シートを貼付し、他方の摺接面に突起部を設けることを特徴とする撮影機器の摺接面保護構造。
【発明の詳細な説明】
【０００１】
【発明の属する技術分野】
本発明は、摺動可能に設置される筐体を有する撮影機器の摺接面を保護して、該撮影機器の使用耐久性を延ばすことができる撮影機器の摺接面保護構造に関する。
【０００２】
【従来の技術】
従来から、ビデオカメラ等の撮影機器には、ファインダー等の筐体が、回転チルト（上下）動作又はスライド（前後）動作等をすることができるように、摺動可能に設置されている。このような撮影機器の外観には、美観のため塗装が施される。その一方で、該筐体と該撮影機器とが摺接する面には塗装が施されていない場合が多い。例えば、ビデオカメラに設置されているファインダーと液晶パネルとが摺接する面には、塗装が施されていない。これは、該筐体と該撮影機器とが摺接するときに、該摺接面同士が擦れるので、塗装が剥がれて外観が損なわれるのを防ぐためである。
【０００３】
また、摺接面に塗装を施さない場合でも、該摺接面同士が摺接することにより、面全体に擦り傷が着くことを防止する必要がある。このため、該撮影機器の摺接面上に突起部又はレール状の凸形状部（以下、突起部等という）が設けられる。この凸形状部は、摺動する該筐体の軌跡に合わせて、レール状に形成される。該撮影機器の摺接面上に設けられた該突起部等と、該筐体の摺接面とが摺接する。こうして、互いの摺接面全体が摺接することを防いで、面全体に擦り傷が着くことを防止している。
【０００４】
一方、最近では、撮影機器に金属製の筐体が用いられるようになってきている。この場合、摺接面にも塗装を施す必要がある。また、プラスチック製の筐体が用いられる場合にも、質感を高めるため、摺接面にも塗装が施されることがよくある。
【０００５】
【発明が解決しようとする課題】
上記突起部等が設けられている場合に、摺接面にも塗装を施すと、上記摺動操作が繰り返し行われることにより、該突起部等と上記筐体の摺接面とが積極的に摺接する。その結果、該突起部等の塗装が剥げてしまう。さらには、該筐体の摺接面においても、該筐体の摺動の軌跡に沿って塗装が剥げたり、擦り傷が着いたりして、美観が損なわれる。したがって、摺接面に塗装を施す場合には、美観を保つ必要性から、該突起部等を設けることが難しい。
【０００６】
しかし、該突起部等を設けない場合には、該筐体の摺動により、塗装された互いの摺接面全体に擦り傷が着いてしまう。さらには、該摺接面の広範囲にわたって塗装被膜が剥げ、美観が損なわれてしまう。また、金属製の筐体においては、塗装被膜が剥げると錆びる原因となる。
【０００７】
本発明は上記のような事情を考慮してなされたものであり、その目的は、摺動可能に設置される筐体を有する撮影機器の摺接面を保護して、該撮影機器の使用耐久性を延ばすことができる撮影機器の摺接面保護構造を提供することにある。
【０００８】
【課題を解決するための手段】
上記課題を解決するため、本発明に係る撮影機器の摺接面保護構造は、摺動可能に設置される筐体を有する撮影機器であって、該筐体と該撮影機器とが摺接する摺接面に塗装が施されている場合に、該摺接面のうち、一方の摺接面に摺動シートを貼付し、他方の摺接面に突起部を設けることを特徴とする。したがって、該筐体と該撮影機器とが摺接しても、該摺接面同士の摩擦を小さくすることができる。よって、該摺接面を保護して、該撮影機器の美観を維持し、使用耐久性を延ばすことができる。
【０００９】
【発明の実施の形態】
以下、図面を参照して本発明の一実施の形態について説明する。
図１は、本発明の一実施の形態である撮影機器の摺接面保護構造を示す斜視図である。撮影機器としてビデオカメラが例示されている。ビデオカメラは、ビデオカメラ本体１とファインダー２と液晶パネル３とで構成される。筐体であるファインダー２は、ビデオカメラ本体１に摺動可能に設置される。ファインダー２は、回転軸４を中心に、矢印ａで示される方向に回転チルト（上下）動作をすることができる。また、ビデオカメラ本体１に設置される液晶パネル３は、回転軸５を中心に、矢印ｂで示される方向に開閉することができる。
【００１０】
液晶パネル３の摺接面７には突起部８が設けられる。この突起部８は、望ましくは球面形状に形成される。さらに、液晶パネル３の突起部８及び摺接面７、又はファインダー２の摺接面６のうち少なくとも一方には、美観及び外観保護等のために塗装が施されている。ファインダー２の摺接面６に塗装が施されている場合には、摺接面６に施された塗装被膜の上から摺動シート９が貼付される。図１に示されるビデオカメラの場合、摺動シート９は、ファインダー２の回転方向に沿った円弧形状に形成される。摺動シート９には、例えば超高分子量ポリエチレンのような摩擦係数が非常に低い材質が用いられる。
【００１１】
次に、本発明の構造を用いたビデオカメラの撮影方法について述べる。この撮影方法では、ファインダー２が用いられる。液晶パネル３は符号ｂ１の位置にあり、閉じられている。この撮影方法の場合、ファインダー２を覗き込むことにより、被写体を認識する。ファインダー２は、矢印ａの方向に沿って、水平状態である符号ａ１の位置から符号ａ２の位置まで、自由に回転摺動させることができる。
【００１２】
図２に、液晶パネル３が閉じられた状態を示す。このとき、ファインダー２の摺接面６に設けられた突起部８と液晶パネル３の摺接面７に貼付された摺動シート９とが接触する。したがって、液晶パネル３が閉じられた状態で、ファインダー２を矢印ａの方向に沿って回転摺動させると、突起部８と摺動シート９とが摺接する。
【００１３】
なお、ファインダー２を用いない撮影方法では、液晶パネル３がｂ２の位置まで開かれる。この液晶パネル３を見ることにより、被写体を認識する。
【００１４】
上記第一の実施の形態によれば、液晶パネル３の摺接面７に設けられた突起部８と、ファインダー２の摺接面６に貼付された摺動シート９とが摺接する。したがって、この摺接する面同士の摩擦を低くすることができるので、摺接面６，７に擦り傷が着くことを防止することができる。さらには、摺接面７及び／又は摺接面６に施された塗装被膜が剥がれることを防ぐことができる。特に、ビデオカメラの筐体が例えば金属製である場合には、表面の塗装被膜が剥がれて錆びることを防止できるので有効である。また、ビデオカメラの筐体が例えばプラスチック製である場合も、摺動により摺接面６，７に擦り傷が着くことを防止し、美観を保持する。その結果、摺接面６，７に塗装することにより質感を高めた撮影機器を提供することができる。さらには、該撮影機器の外観に不具合が生じることを防いで、該撮影機器の使用耐久性を延ばすことができる。
【００１５】
また、突起部８は、球面形状に形成されるので、摺動シート９との摩擦をより低く抑えることができ、円滑な摺動が可能となる。
【００１６】
図３は、本発明の第二の実施の形態に用いられる撮影機器の斜視図である。図３に示す撮影機器であるビデオカメラでは、ファインダー２２が矢印ｃで示される方向に摺動するスライド動作を行う。摺動シート２９は、ファインダー２２の摺接面２６に貼付される。この場合、摺動シート２９は、ファインダー２２の摺動方向に沿って横長形状に形成される。
【００１７】
上記第二の実施の形態によれば、第一の実施の形態と同様の効果を得ることができる。
【００１８】
また、撮影機器により変化するファインダー２，２２の摺動動作に対応して、摺接面６，２６毎に適切な形状の摺動シート２９を貼付することができる。よって、さまざまな撮影機器の形状に対応できる摺接面保護構造を、安価で容易に提供することができる。
【００１９】
尚、上記実施の形態では、撮影機器としてビデオカメラが用いられているが、これに限られず、デジタルスチルカメラ等、摺動可能なファインダー等の筐体を有する撮影機器が広く用いられる。
【００２０】
【発明の効果】
以上説明したように本発明によれば、摺動可能に設置される筐体を有する撮影機器の摺接面を保護して、該撮影機器の使用耐久性を延ばすことができる。
【図面の簡単な説明】
【図１】本発明の一実施の形態である撮影機器の摺接面保護構造を示す斜視図である。
【図２】液晶パネル３が閉じられた状態を示す撮影機器の斜視図である。
【図３】本発明の第二の実施の形態に用いられる撮影機器の斜視図である。
【符号の説明】
１…ビデオカメラ本体，２，２２…ファインダー，３…液晶パネル，
４，５…回転軸，６，７，２６…摺接面，８…突起部，９，２９…摺動シート，
ａ，ｂ，ｃ…矢印。
【図１】
0003918278.tif 000002
【図２】
0003918278.tif 000003
【図３】
0003918278.tif 000004